(57)【要約】【課題】歯の治療中における患者の不安感を低減するとともに、患者及び医師に負担をかけることなく患者と医師とのコミュニケーションを図りやすくすること。【解決手段】歯の治療時に患者の顔面を被い歯の治療を行うことができる歯科用フェイスカバー１において、フェイスカバー本体１０の少なくとも目の位置を被う部位はメッシュ状の化学繊維素材で形成されており、このメッシュ状の化学繊維素材は目がこのフェイスカバー本体で被われた状態では患者は外部を見ることができるが、外部からは患者の目が実質的に見ることができないこととした。【選択図】        図１
0003110964.tif 000002
【実用新案登録請求の範囲】
【請求項１】
患者の少なくとも目の位置から口の位置までの顔面を被うことのできる大きさ形状の化学繊維素材のフェイスカバー本体に、口の位置を露出させることのできる開口部が形成されてなる歯科用フェイスカバーであって、
前記フェイスカバー本体の少なくとも目の位置を被う部位はメッシュ状の化学繊維素材で形成されており、該メッシュ状の化学繊維素材は目が該フェイスカバー本体で被われた状態では患者は外部を見ることができるが、外部からは患者の目が実質的に見ることができないことを特徴とする歯科用フェイスカバー。
【請求項２】
請求項１に記載の歯科用フェイスカバーであって、
前記フェイスカバー本体は、複数のシート状部材が積層して形成され、少なくとも顔面に触れる側のシート状部材がメッシュ状の化学繊維素材で形成されていることを特徴とする歯科用フェイスカバー。
【請求項３】
請求項２に記載の歯科用フェイスカバーであって、
顔面に触れる側のシート部材及び最外側のシート部材の両方がメッシュ状の化学繊維素材で形成されていることを特徴とする歯科用フェイスカバー。
【請求項４】
請求項２又は請求項３にいずれかに記載の歯科用フェイスカバーであって、
前記フェイスカバー本体の顔面を被った際における目の位置する箇所を除く部分の顔面に触れる側のシート部材と最外側のシート部材との間には吸湿性の素材が介挿されていることを特徴とする歯科用フェイスカバー。
【請求項５】
請求項１から請求項４にいずかに記載の歯科用フェイスカバーであって、
前記開口部は、口の位置を露出させることのできると共に鼻も露出可能に連続した開口として形成されていることを特徴とする歯科用フェイスカバー。
【請求項６】
請求項５に記載の歯科用フェイスカバーであって、
前記鼻を露出可能に形成した開口部は、鼻に掛けることが可能な開口形状となっていることを特徴とする歯科用フェイスカバー。
【請求項７】
請求項１から請求項６にいずかに記載の歯科用フェイスカバーであって、
前記フェイスカバー本体の顔面を被った際における顔面両側に位置する縁近傍には、立体的な膨らみをもたせるためのギャザー部が設けられたことを特徴とする歯科用フェイスカバー。
【請求項８】
請求項１から請求項７にいずかに記載の歯科用フェイスカバーであって、
前記フェイスカバー本体の顔面を被った際における顔面の上下左右の四隅の縁が円弧形状に形成されていることを特徴とする歯科用フェイスカバー。
【請求項９】
請求項１から請求項８にいずかに記載の歯科用フェイスカバーであって、
前記フェイスカバー本体には耳に係止させるための係止手段が設けられていることを特徴とする歯科用フェイスカバー。
【請求項１０】
請求項９に記載の歯科用フェイスカバーであって、
前記係止手段はゴムひもや不織布等のひも状部材であることを特徴とする歯科用フェイスカバー。
【請求項１１】
請求項１から請求項１０のいずれかに記載の歯科用フェイスカバーであって、
前記フェイスカバー本体を形成する化学繊維素材の色が白又は薄いピンク、ブルー、イエローのいずれかとされていることを特徴とする歯科用フェイスカバー。
【考案の詳細な説明】
【技術分野】
【０００１】
本考案は、歯の治療時に患者の顔面を被い歯の治療を行うことができる歯科用フェイスカバーに関する。
【背景技術】
【０００２】
歯を治療する際、歯科治療用器具の使用や口腔内の洗浄により患者の口腔外へ水分等の異物が飛散することがある。このため、歯の治療中に患者の顔面へ異物が付着して不快に感じることがある。また、患者が女性の場合には異物の付着によって化粧が乱れるのではないかなどの余分なストレスを感じることもある。このような問題を解決する従来技術として、患者の顔面のほぼ下半分を被う紙等を素材とするシートの中央部に、口腔部を露出させるための開窓部を形成させた歯科用フェイスカバーが用いられている（特許文献１参照）。特許文献１記載の歯科用フェイスカバーでは、治療の対象となる患者の口腔部を露出させ、他の顔面部分を所定のシートで被おうことによって飛散する異物の付着を防止ないしは低減するようにさせたものである。
【０００３】
【特許文献１】登録実用新案第３１０１２５９号公報
【考案の開示】
【考案が解決しようとする課題】
【０００４】
しかしながら、上記の従来技術では、患者の顔面への異物の付着を有効に防止ないしは低減することができるが、紙等のシートによって患者の目が被われることがある。そのため、患者は医師の治療している様子を見ることができなくなるので、患者は治療中にどのような治療が行われているか不安に感じるという問題がある。また、医師の様子が見えないと治療中に医師から問い掛けられたときにどのように答えてよいかわからない場合があるという問題も指摘されていた。一方、患者から医師の顔が直視できるように透明なシート等の素材によって患者の顔面を被うと、医師は治療中に患者から注視されることでストレスを感じ治療に集中できないという問題が生じる。つまり、従来の歯科用フェイスカバーでは患者と医師とのコミュニケーションを図るという観点があまり考慮されていなかった。
【０００５】
本考案は上記のような問題に鑑みてなされたものであり、本考案が解決しようとする課題は、歯の治療中における患者の不安感を低減するとともに、患者及び医師に負担をかけることなく患者と医師とのコミュニケーションを図りやすくすることにある。
【課題を解決するための手段】
【０００６】
上記課題を解決するために、本考案の歯科用フェイスカバーは次の手段をとる。
まず、本考案の第１の考案は、患者の少なくとも目の位置から口の位置までの顔面を被うことのできる大きさ形状の化学繊維素材のフェイスカバー本体に、口の位置を露出させることのできる開口部が形成されてなる歯科用フェイスカバーであって、前記フェイスカバー本体の少なくとも目の位置を被う部位はメッシュ状の化学繊維素材で形成されており、該メッシュ状の化学繊維素材は目が該フェイスカバー本体で被われた状態では患者は外部を見ることができるが、外部からは患者の目が実質的に見ることができないことを特徴とする。
【０００７】
本発明において「メッシュ状の化学繊維素材」とは、網目状になされた肌触りのよい化学繊維素材のことを意味している。患者に肌触りの良い感触を与えるためには、ドライメッシュシート状に形成されることが好ましい。さらには、キルティング加工によりドライメッシュシート状に形成されることがより好ましい。従って、この第１の考案によれば、目の位置がメッシュ状の化学繊維素材で被われることにより、患者は化学繊維素材の網目状の小さな間隙から外部を見ることができる。これにより、患者は医師が治療している様子を見ることができるので、治療中でも不安を感じにくい。一方、患者の目の位置から離れた外部の位置からでは化学繊維素材に覆われた患者の目を実質的に見ることはできない。例えば、患者が治療台に座っており医師が治療している位置関係にある場合には、医師は患者の目を実質的に見ることはできない態様となる。これにより、医師等の外部にいる者と患者とは直接目と目が合うことがないのでお互い治療中にストレスを感じることがない。つまり、治療中に患者及び医師へ無駄な負担をかけることなく患者と医師とのコミュニケーションを図りやすくさせることができる。
【０００８】
次に、本考案の第２の考案は、上述した第１の考案において、前記フェイスカバー本体は、複数のシート状部材が積層して形成され、少なくとも顔面に触れる側のシート状部材がメッシュ状の化学繊維素材で形成されていることを特徴とする。
この第２の考案によれば、患者の顔面にフェイスカバー本体を被った場合にメッシュ状の化学繊維素材が顔面に触れる側に配置されることで、患者へサラサラ感や肌触りの良い感触を与えることができる。また、複数のシート状部材が積層して形成されることで、外部からは患者の目がより見にくい状態となる。そのため、医師と患者とは直接目と目が合うことがほとんどなく、医師は治療に専念することができる。
【０００９】
次に、本考案の第３の考案は、上述した第２の考案において、顔面に触れる側のシート部材及び最外側のシート部材の両方がメッシュ状の化学繊維素材で形成されていることを特徴とする。この第３の考案によれば、最外側のシート部材もメッシュ状の化学繊維素材で形成されることにより、医師や看護士がフェイスカバー本体に触れた場合でもサラサラ感や肌触りの良い感触を与えることができる。つまり、医師や看護士に不快なベトツキ感を与えないので、医師や看護士は治療や治療補助に専念することができる。
【００１０】
次に、本考案の第４の考案は、上述した第１の考案から第３の考案のいずれかにおいて、前記フェイスカバー本体の顔面を被った際における目の位置する箇所を除く部分の顔面に触れる側のシート部材と最外側のシート部材との間には吸湿性の素材が介挿されていることを特徴とする。この第４の考案によれば、最外側のシート部材の表面に付着する異物が吸湿性の素材により吸収されやすくなる。これにより、水分等の異物が比較的多量に飛散する場合でも、サラサラ感や肌触りのよい感触を維持することができる。また、患者が女性の場合、化粧が崩れるのではないか等の余計な心配させることもない。
【００１１】
次に、本考案の第５の考案は、上述した第１の考案から第４の考案のいずれかにおいて、前記開口部は、口の位置を露出させることのできると共に鼻も露出可能に連続した開口として形成されていることを特徴とする。この第５の考案によれば、治療の際、患者に息苦しさを感じさせることなく治療を行うことができる。
【００１２】
次に、本考案の第６の考案は、上述した第５の考案において、前記鼻を露出可能に形成した開口部は、鼻に掛けることが可能な開口形状となっていることを特徴とする。この第６の考案によれば、前記鼻を露出可能に形成した開口部を鼻に掛けることによって、治療の際、フェイスカバー本体を患者の顔面からズレにくくなる。
【００１３】
次に、本考案の第７の考案は、上述した第１の考案から第６の考案のいずれかにおいて、前記フェイスカバー本体の顔面を被った際における顔面両側に位置する縁近傍には、立体的な膨らみをもたせるためのギャザー部が設けられたことを特徴とする。この第７の考案によれば、フェイスカバー本体の顔面へのフィット感を向上させることができる。これは上記のような構成をとると、フェイスカバー本体の両側縁近傍でギャザー部が顔面に沿いやすくなるためと考えられる。また、このギャザー部をゴム等の伸縮自在な弾性部材を介在させて構成すると、両側縁近傍が湾曲したりたわみやすくなったりしてフィット感がさらに向上する。
【００１４】
次に、本考案の第８の考案は、上述した第１の考案から第７の考案のいずれかにおいて、前記フェイスカバー本体の顔面を被った際における顔面の上下左右の四隅の縁が円弧形状に形成されていることを特徴とする。この第８の考案によれば、治療中にフェイスカバー本体の上下左右の四隅の縁が患者や医師の体に触れにくくなる。つまり、フェイスカバー本体を患者の顔面からズレにくくすることができる。
【００１５】
次に、本考案の第９の考案は、上述した第１の考案から第８の考案のいずれかにおいて、前記フェイスカバー本体には耳に係止させるための係止手段が設けられていることを特徴とする。この第９の考案によれば、フェイスカバー本体は耳に係止されることになるので治療中に、フェイスカバー本体が患者の顔面からズレ落ちない。
【００１６】
次に、本考案の第１０の考案は、上述した第９の考案において、前記係止手段はゴムひもや不織布等のひも状部材であることを特徴とする。この第１０の考案によれば、フェイスカバー本体に前記係止手段を簡単に設けることができる。
【００１７】
次に、本考案の第１１考案は、上述した第１の考案から第１０の考案のいずれかにおいて、前記フェイスカバー本体を形成する化学繊維素材の色が白又は薄いピンク、ブルー、イエローのいずれかとされていることを特徴とする。この第１１の考案によれば、化学繊維素材に着色することで患者に対して優しいイメージを与えることができる。すなわち、外観上の見栄えが向上するとともに患者の治療に対する不安感が軽減され得る。
【考案の効果】
【００１８】
本考案は上述した手段をとることにより、次の効果を得ることができる。
先ず、本考案の第１の考案によれば、患者の顔面がフェイスカバー本体に被われた状態で、患者はメッシュ状の小さな間隙から医師の治療の様子を見ることできる。そのため、患者の治療中における不安感が低減され得る。一方、フェイスカバー本体から医師の目までは幾分かの間隔があるので、医師からは患者の目を実質的に見ることはできない。そのため、医師と患者は直接目と目が合うことがないので、お互い気を使わずに済む。つまり、患者と医師は余分なストレスを感じることなくお互いスムーズにコミュニケーションを図りやすくなる。
次に、本考案の第２の考案によれば、顔面に触れる側のシート状部材は、メッシュ状の化学繊維素材により形成されているので患者にサラサラ感や肌触りの良い感触を与えることができる。
次に、本考案の第３の考案によれば、最外側のシート状部材も、メッシュ状の化学繊維素材により形成することで、医師や看護士がシート状部材に触れた場合に、サラサラ感や肌触りの良い感触を与えることができる。
次に、本考案の第４の考案によれば、治療の際に開口部周辺へ飛散した異物が吸湿性素材により吸収されやすくなるので、患者の顔面を異物によりベトつかなくさせることができる。
次に、本考案の第５の考案によれば、患者は息苦しさを感じることなく治療を受けることができる。
次に、本考案の第６の考案によれば、治療の際、フェイスカバー本体が患者の顔面からズレにくくさせることができる。
次に、本考案の第７の考案によれば、ギャザー部を設けることによりシート状部材に立体的な膨らみを持たせることができるので、シート状部材が患者の顔面にフィットしやすくなる。
次に、本考案の第８の考案によれば、治療中にフェイスカバー本体が患者や医師の体に触れることが少なくなるので、フェイスカバー本体を患者の顔面からズレにくくすることができる。
次に、本考案の第９の考案によれば、係止手段を設けることによりフェイスカバー本体を患者の顔面からズレ落ちなくすることができる。
次に、本考案の第１０の考案によれば、耳に掛けるための係止手段を簡単に設けることができる。
次に、本考案の第１１の考案によれば、患者に対して優しいイメージを与えることができるので、患者の治療に対する不安感が軽減され得る。
【考案を実施するための最良の形態】
【００１９】
以下、本考案の最良の実施形態について図面を参照しながら詳細に説明する。
図１は、歯科用フェイスカバー１を示す平面図である。図２は、図１においてＡ−Ａ線に沿って切断した歯科用フェイスカバー１の模式断面図である。図３は、開口の大きさが異なる各開口部２０を示す平面図である。
本実施形態に係る歯科用フェイスカバー１は、歯の治療時に、飛散する異物が患者の顔面に付着させないようにするために患者の顔面を被うものである。この歯科用フェイスカバー１は、大人用又は子供用、男性用又は女性用など患者の種類、特に顔の大きさや形に対応させて適宜大きさを変えて形成するのが良い。
【００２０】
図１に示すように、歯科用フェイスカバー１は、患者の少なくとも目の位置から口の位置までの顔面を被うことのできる大きさ形状の化学繊維素材のフェイスカバー本体１０に、口の位置を露出させることのできる開口部２０が形成されてなるものである。図１に示したフェイスカバー１は、顔面の額からあごの部分まで被うことのできる大きさとされている。そして、フェイスカバー本体１０の形状は、患者の顔面の幅方向に横長の形状となっており、開口部２０は図１で見て上側に鼻を露出させる開口部位２０ａが形成され、図１で見て下側に口を露出させる開口部位２０ｂが形成されている。なお、このフェイスカバー本体１０の形状は、患者の顔面の幅方向に横長の形状に限定されるものではなく、正方形、丸形、又は菱形等の形状であってもよい。
【００２１】
フェイスカバー本体１０は、キルティング加工によりドライメッシュ状に形成されたシート状部材１２ａ、１２ｂが２枚積層して構成されており、患者の目の位置はこの積層されたシート状部材１２ａ、１２ｂに被われるようになっている。これにより、患者の顔面がフェイスカバー本体１０に覆われた状態で、患者はメッシュ状の小さな間隙から医師の治療の様子を見ることできる。このため、患者の治療中における不安感が低減され得る。一方、フェイスカバー本体１０から医師の目までは幾分かの間隔があるので、医師からは患者の目を実質的に見ることはできない。そのため、医師と患者は直接目と目が合うことがないので、お互い気を使わずに済む。つまり、患者と医師は余分なストレスを感じることなくお互いスムーズにコミュニケーションを図りやすくなる。また、顔面に触れる側（図１で見て紙面の手前側）のシート状部材１２ａは、ドライメッシュ状に形成されているので患者に肌触りの良い感触を与えることができる。そして、外側（図１で見て紙面の奥側）のシート状部材１２ｂも、ドライメッシュ状に形成されているので、医師や看護士がシート状部材１２ｂに触れた場合に、サラサラ感や肌触りの良い感触を与えることができる。また、シート部材１２が複数積層して構成されるので、医師からは患者の目がそれだけ見にくくなる。これにより、医師と患者は直接目と目が合うことはほとんどなくなるので、医師はそれだけ治療に専念することができる。
【００２２】
２枚のシート状部材１２ａ、１２ｂの縁は、プレス加工により接着されている。また、開口部２０の図１で見てやや上側の位置で図１で見て左右に横断して接着された接着部位１４が形成されている。図１及び図２に良く示されるように、接着部位１４の図１で見て上下方向の下側にはシート状部材１２ａ、１２ｂの間に所定形状の厚めの吸湿性素材３０及び、さらに吸湿性素材３０の下側にはこれよりも薄い吸湿性素材３０ａが介挿されている。例えば、吸湿性素材３０としては、パルプ素材１００％の吸湿性の良い厚めのシートを用いることができ、吸湿性素材３０ａも同じくパルプ素材１００％の吸湿性の良い薄いシートを用いることができる。また、さらに具体的には、吸湿性素材３０ａとして市販のティッシュペーパーなどを用いることもできる。図１では、便宜上理解しやすくするために吸湿性素材３０、３０ａの部分は斜線を入れて示してある。これにより、治療の際に開口部２０周辺へ飛散した異物は、吸湿性素材３０、３０ａにより吸収されやすくなるので、患者の顔面を異物によりベトつかなくさせることができる。なお、吸湿性素材３０、３０ａを介挿させて歯科用フェイスカバー１を作成するには、例えば、シート状部材１２ａ上に吸湿性素材３０、３０ａを静置した後、シート状部材１２ｂを載せ、シート状部材１２ａ、１２ｂの縁を接着し、接着部位１４を形成する。次いで、所定形状の開口部２０を切り抜いて、該開口部２０の輪郭を形成する縁を接着して作成することができる。
【００２３】
シート状部材１２ａ、１２ｂの図１で見て左右方向の両側縁近傍には、伸縮性を有する細長状のゴム部材４２がシート状部材１２ａ、１２ｂの間で挟持された状態で一体に接着されている。図１では、ゴム部材４２が伸長状態で接着された状態を示しており、シート状部材１２ａ、１２ｂの図１で見て左右方向の両側縁近傍はゴム部材４２が縮むことにより寄せられてひだ状のギャザー部４０を構成する。従って、本実施形態においてギャザー部４０とは、ゴム部材４２周辺の縮めて寄せられたひだ状の部位部分を指している。このギャザー部４０が設けられることによりシート状部材１２ａ、１２ｂに立体的な膨らみを持たせることができるので、シート状部材１２ａ、１２ｂが患者の顔面にフィットしやすくなる。なお、ゴム部材４２は、シート状部材１２ａ、１２ｂの図１で見て左右方向の両側縁近傍を折り曲げた折曲部内に伸長状態でサンドイッチ状に挟持し一体に接着させる場合であってもよい。
また、シート状部材１２ａ、１２ｂの図１で見て上下左右の四隅の縁は円弧形状に形成されている。これにより、治療中にフェイスカバー本体１０が患者や医師の体に触れることが少なくなるので、フェイスカバー本体１０を患者の顔面からズレにくくすることができる。
【００２４】
開口部２０は、シート状部材１２ａ、１２ｂの略中央位置に図１で見て上側の開口部位２０ａが下側の開口部位２０ｂよりも小さく形成された形状をなしている。すなわち、この開口部２０は、口の位置を露出させることができる開口部位２０ｂと共に該開口部位２０ｂから連続した開口として形成された開口部位２０ａを備えたものである。これにより、患者は息苦しさを感じることなく治療を受けることができる。また、この鼻を露出可能に形成した開口部位２０ａは鼻に掛けることが可能な開口形状となっている。図１では、当該開口部位２０ａは略への字形状をなすことにより鼻に掛けることが可能な構成としている。これにより、治療の際、フェイスカバー本体１０が患者の顔面からズレにくくなる。なお、開口部２０の形状は、図１に示した形状に限定されるものではなく、正方形、丸形、又は菱形等の形状であってもよい。
【００２５】
開口部２０の大きさは、大人用又は子供用、男性用又は女性用など患者の種類によって、より詳しくは患者の口及び鼻の大きさによって適宜大きさを変えることが好ましい。例えば、図３に示すような各種の大きさ形状としてもよい。すなわち、図３（ａ）に示す開口部（大）、図３（ｂ）に示す開口部（中）、図３（ｃ）に示す開口部（小）の各形状を予め設定しておくことができる。開口部（大）は実際の寸法として長さＬａ１２ｃｍとし、比較的口と鼻の大きい男性の大人用として使用できる。開口部（中）は実際の寸法として長さＬｂ１０ｃｍとし、比較的口と鼻の小さい女性の大人用として使用できる。開口部（小）は実際の寸法として長さＬｃ９ｃｍと設定し、大人に比べ口と鼻の小さいこども用として使用できる。また、図３に示す横幅Ｗａ、Ｗｂ、Ｗｃも口や鼻の大きさに対応させて適宜設定することができる。通常は、図３に示すように、患者の口や鼻の大きさを想定した大きさからＷａ、Ｗｂ、Ｗｃの順に横幅が小さく形成される。
【００２６】
また、本考案者は各種の歯科用フェイスカバー１の形態を試作・実験し鋭意検討した結果、平均的な男性の大人用の歯科用フェイスカバー１として最適な実施寸法を見出している。その実際の寸法は、図１に記載された符号に基づいて説明すると下記の通りである。すなわち、高さＨ：３１．５ｃｍ、幅Ｗ：３８ｃｍ、長さＬ１：１０ｃｍ、長さＬ２：１．５ｃｍ、長さＬ３：８ｃｍ、長さＬ４：１．５ｃｍとした場合が最適な実施形態であることが判明している。なお、符号Ｌ１は、シート状部材１２ａ、１２ｂの上端縁から接着部位１４までの長さを示している。符号Ｌ２は、接着部位１４から開口部２０の上端までの長さを示している。符号Ｌ３は、開口部２０の下端からシート状部材１２ａ、１２ｂの下端縁までの長さを示している。符号Ｌ４は、シート状部材１２ａ、１２ｂを長方形状とした場合の四方隅から円弧形状に形成されたシート状部材１２ａ、１２ｂの外周縁までの最短の長さを示している。また、開口部２０は図２（ａ）に示した開口部（大）の形状を使用している。
【００２７】
図４は、シート状部材１２ａの左右方向の耳の位置近傍にひも状部材６０を設けた変更例を示す平面図である。なお、図４に示す変更例は、ひも状部材６０を設けた構成及び下記に説明する最適な実施寸法以外については上述した歯科用フェイスカバー１と変わりがないため、同じ構成の部分についてはその説明を省略する。
図４に示すように、シート状部材１２ａの左右方向の耳の位置近傍の適宜箇所にひも状部材６０を設けた構成にすれば、耳に掛けるための係止手段を簡単に設けることができる。また、このひも状部材６０は、伸縮可能なゴムひも又は１ｃｍ幅の不織布としておくことが好ましい。なお、ひも状部材６０は、シート状部材１２ａに縫合・接着等の適宜手段により設けることができる。
【００２８】
また、本考案者は各種の歯科用フェイスカバー１の形態を試作・実験し鋭意検討した結果、平均的な女性の大人用の歯科用フェイスカバー１として最適な実施寸法を見出している。その実際の寸法は、図４に記載された符号に基づいて説明すると下記の通りである。すなわち、高さＨ：２９．５ｃｍ、幅Ｗ：３６ｃｍ、長さＬ１：１０ｃｍ、長さＬ２：１．５ｃｍ、長さＬ３：８ｃｍ、長さＬ４：１．５ｃｍとした場合が最適な実施形態であることが判明している。なお、開口部２０は図２（ｂ）に示した開口部（中）の形状を使用している。さらに、平均的な女性の大人用の歯科用フェイスカバー１として使用する場合、シート状部材１２ａ、１２ｂを白又は薄いピンク、ブルー、イエローのいずれかの色に着色させることもできる。この場合、患者に対して優しいイメージを与えることができるので、患者の治療に対する不安感が軽減され得る。
【００２９】
図５は、シート状部材１２ａの左右方向の耳の位置近傍に耳に掛けるための係止手段として側方開口部７０を設けた変更例を示す平面図である。なお、図５に示す変更例は、側方開口部７０を設けた構成、吸湿性素材３０ａを設けていない構成、ギャザー部４０を設けていない構成、及び下記に説明する最適な実施寸法以外については上述した歯科用フェイスカバー１と変わりがないため、同じ構成の部分についてはその説明を省略する。
図５に示すように、シート状部材１２ａの左右方向の両端縁近傍の適宜箇所に側方開口部７０を設けた構成にすれば、フェイスカバー本体１０を患者の顔面からズレ落ちなくすることができる。また、側方開口部７０が形成されるシート状部材１２ａ、１２ｂがメッシュ状の化学繊維素材により形成されているので肌触りがよく、耳に掛けた場合でも患者に異物感を与えにくい。
【００３０】
また、本考案者は各種の歯科用フェイスカバー１の形態を試作・実験し鋭意検討した結果、平均的な子供用の歯科用フェイスカバー１として最適な実施寸法を見出している。その実際の寸法は、図４記載された符号に基づいて説明すると下記の通りである。すなわち、高さＨ：１６．５ｃｍ、幅Ｗ：３３ｃｍ、長さＬ１：１０ｃｍ、長さＬ２：１．５ｃｍ、長さＬ３：６ｃｍ、長さＬ４：１．５ｃｍとした場合が最適な実施形態であることが判明している。なお、開口部２０は図２（ｃ）に示した開口部（小）の形状を使用している。
【００３１】
本考案は上記実施形態の構成に限定されることはなく、その他種々の形態で実施ができるものである。
例えば、本実施形態では、フェイスカバー本体１０が２枚のシート状部材１２ａ、１２ｂにより形成される構成を示したがこの構成に限定されるものではない。すなわち、フェイスカバー本体１０を１枚のシート状部材として構成し、該シート状部材がメッシュ状の化学繊維素材で形成されている構成であってもよい。このような態様とした場合、使い捨て用のものとして使用しやすく、患者一人一人に新しいものを使用できるので衛生的で清潔感がある。
また、本実施形態では、シート状部材１２ａ、１２ｂの上下左右の四隅の縁が円弧形状に形成されている構成となっているが、下記のような構成としてもよい。すなわち、上側又は下側のいずれか一方の隅を円弧形状とする構成や上下左右の四隅が円弧形状に形成されていない構成であってもよい。
【図面の簡単な説明】
【００３２】
【図１】歯科用フェイスカバーを示す平面図である
【図２】図１においてＡ−Ａ線に沿って切断した歯科用フェイスカバーの模式断面図である。
【図３】開口の大きさが異なる各開口部を示す平面図である。
【図４】シート状部材の左右方向の両端縁近傍にひも状部材を設けた変更例を示す平面図である。
【図５】シート状部材の左右方向の両端縁近傍に耳に掛けるための係止手段として側方開口部を設けた変更例を示す平面図である。
【符号の説明】
【００３３】
１    歯科用フェイスカバー
１０    フェイスカバー本体
１２ａ、１２ｂ  シート状部材
２０    開口部
３０、３０ａ    吸湿性素材
４０    ギャザー部
６０    ひも状部材
７０    側方開口部
【図１】
0003110964.tif 000003
【図２】
0003110964.tif 000004
【図３】
0003110964.tif 000005
【図４】
0003110964.tif 000006
【図５】
0003110964.tif 000007